(57)【要約】      （修正有）【課題】ローリング防止フィンを設置した球状錘の後端部にカメラを設置した水中カメラ装置を提供する。【解決手段】ローリング防止フィン３２を、球状錘３１の前端から頂点に向かって弧状（略９０°の範囲）に溶接する。このローリング防止フィン３２は、この球状錘３１、ひいては前記水中カメラ装置Ｃの進行方向に対してのローリングを防止する。３３，３３…は係止孔であり、前記ローリング防止フィン３２に形成する。この係止孔３３には取付環３４、ひいては、取付けロープ２１を適宜選択して連結する。取付環３４を取り付けるための係止孔３３の位置を、頂上部に近づける程前記水中カメラ装置Ｃを水中深く沈めやすく、また、先端部に近づける程水面近くに沈めやすくなる。また、このように取付ロープ２１を球状錘３１の先端上部に連結することができるため、水中において前記ローリング防止フィン３２を鉛直状態に維持しやすくできる。【選択図】図２
0003155648.tif 000002
【実用新案登録請求の範囲】
【請求項１】
球状錘とカメラとを備え、前記球状錘の前端部にロープ取付部を設けるともに前記球状錘の後端部に前記カメラを設置し、前記球状錘の表面に前後方向に沿ってローリング防止フィンを設置したことを特徴とする水中カメラ装置。
【請求項２】
請求項１の水中カメラにおいて、前記ローリング防止フィンは前記球状錘の前端から頂点に向かって設置されていることを特徴とする水中カメラ装置。
【請求項３】
請求項１又は請求項２の水中カメラにおいて、前記ローリング防止フィンに複数のローブ係止孔が形成されていることを特徴とする水中カメラ装置。
【請求項４】
請求項２又は３の水中カメラにおいて、前記カメラは後方に向かって斜め上方を向いていることを特徴とする水中カメラ装置。
【考案の詳細な説明】
【技術分野】
【０００１】
この考案は水中カメラ装置に関し、主として、ローブを介して水中を引かれながら水中の被写体を撮影する際に使用されるものである。
【背景技術】
【０００２】
従来におけるこの種の水中カメラ装置にあっては、船尾にロープを介してカメラを設置し、船体の航行によって後方にこのカメラを流しながら、水中の被写体を撮影、船体のディスプレイによって観察していた。                                                    
【０００３】
【特許文献１】特開平８−３１３９８４号公報
【考案の開示】
【考案が解決しようとする課題】
【０００４】
しかしながら、かかる従来の水中カメラ装置にあっては、ロープの先端にカメラを設置したものにすぎなかったため、ローブを介して水中を高速で引く際に、カメラを水中にの一定の深さに維持しにくく、また、ローリングしやすい結果、撮影した画像が上下左右方向にぶれやいという不都合を有した。
【０００５】
この考案の課題はこれらの不都合を解消することである。
【課題を解決するための手段】
【０００６】
前記課題を達成するために、この考案に係る水中カメラ装置においては、球状錘とカメラとを備え、前記球状錘の前端部にロープ取付部を設けるともに前記球状錘の後端部に前記カメラを設置し、前記球状錘の表面に前後方向に沿ってローリング防止フィンを設置したものである。
【０００７】
この場合、前記ローリング防止フィンを前記球状錘の前端から頂点に向かって設置することもできる。
【０００８】
また、この場合、前記ローリング防止フィンに複数のローブ係止孔を形成することもできる。
【０００９】
また、この場合、前記カメラを後方に向かって斜め上方に配置することもできる。
【考案の効果】
【００１０】
この考案に係る水中カメラ装置は上記のように構成されているため、即ち、球状錘とカメラとを備え、前記球状錘の前端部にロープ取付部を設けるともに前記球状錘の後端部に前記カメラを設置し、前記球状錘の表面に前後方向に沿ってローリング防止フィンを設置したため、球状錘の重量および抵抗によってカメラを水中に維持しやすいとともに、ローリング防止フィンが設置されているため、ロープを介して船舶等によって水中を引かれても、球状錘、ひいてはカメラはローリングしないものである。
【００１１】
よって、この水中カメラ装置を使用すれば、水中を高速で引きながら水中の被写体を撮影した際に、上下左右振れのない安定的な画像撮影をしやすいものである。
【００１２】
また、急流中にカメラをロープを介して流しながら、その水中の被写体を撮影する場合にも安定した状態で撮影することができる。で
【００１３】
この場合、前記ローリング防止フィンを前記球状錘の前端から頂点に向かって設置すれば、前記ローリング防止フィンが垂直尾翼の役目を果たすため、カメラをより安定した状態で一定状態に維持しやすいものである。  
【００１４】
また、この場合、前記ローリング防止フィンに複数のローブ係止孔を形成すれば、係止ロープを球状錘の先端上部に連結することができるため、水中において前記ローリング防止フィンを鉛直状態に維持しやすく、この結果、カメラをより一層安定した状態で一定状態に維持しやすいものである。更に、取付ロープを取り付けるための係止孔の位置を変更することによって、水中カメラ装置Ｃの水中における位置を調節しやすいものである（選択する係止孔33の位置を、頂上部に近づける程前記水中カメラ装置Ｃを水中深く沈めやすく、また、先端部に近づける程水面近くに沈めやすい）。このため、船舶の高速航行中（時速１５キロメートル）での水中より表層（水面）を角度１０度単位で調節することができ、水中での安定的な撮影をすることができる。なお、ブローパック分は取付けケーブルの長さを調節することにより調節する。
【００１５】
また、この場合、前記カメラを後方に向かって斜め上方に配置すれば、水中において上方の被写体を安定した状態で撮影しやすいものである。
【考案を実施するための最良の形態】
【００１６】
本考案に係る水中カメラ装置は、球状錘とカメラとを備えている。前記球状錘の前端から頂点に向かってローリング防止フィンが垂直状に設置されている。このローリング防止フィンには複数のロープ係止孔が形成されている。前記球状錘の後端部に前記カメラが設置されている。前記カメラは後方に向かって斜め上方を向いている。
以上の構成に最も主要な特徴を有する。
【実施例１】
【００１７】
以下、この考案の実施例を説明する。
図１はこの考案に係る水中カメラ装置の実施例の使用状態図、図２は上部後方からの同斜視図、図３は図２におけるIII 矢視図、図４は図３におけるマウント用支持板のIV矢視の拡大図、図５は図４におけるマウント用支持板の左側面図である。
【００１８】
図１において、Ｗは海洋、Ｆはこの海洋の水面、Ｓは水面Ｆを航行する（矢印方向に）トローリング用船である。10はこの船Ｓの船体、11はこの船体10の後端に設置されたトローリング用竿である。12は疑似餌であり、前記釣糸13を介して前記竿11に繋がれている。この疑似餌12は船Ｓの航行によって水面を泳いでいるかの如く引かれていく。Ｔはかじきまぐろであり、海洋Ｗ中を前記疑似餌12を追いながら泳いでいる。
【００１９】
次に、Ｃは水中カメラ装置であり、取付けロープ21を介して前記船体10の後端に設置されている。この水中カメラ装置Ｃは船Ｓの航行によって引かれていく。そして、トローリング中は、船Ｓの速度との関係で常に前記疑似餌12の下方に位置するように重量が決められている。21は前記水中カメラ装置Ｃに設置されたＣＣＤカメラ、22は前記船体10に設置されたカメラディスブレイ、23はこのカメラディスブレイ22と前記カメラ21とを繋ぐケーブルである。このカメラディスブレイ22により、船体10において、前記疑似餌12近傍の状態を観察することができる。  
【００２０】
図２〜５に基づいて、前記水中カメラ装置Ｃについて詳述する。
【００２１】
図２及び図３において、31は球状錘であり、前記水中カメラ装置Ｃを水中に沈めるための主要部となっている。32はローリング防止フィンであり、前記球状錘31の前端から頂点に向かって弧状（略９０°の範囲）に溶接されている。このローリング防止フィン32は、この球状錘31、ひいては前記水中カメラ装置Ｃの進行方向に対してのローリングを防止するためのものである。33,33,…は係止孔であり、前記ローリング防止フィン32に形成されている。この係止孔33には取付環34、ひいては、前記取付けロープ21を適宜選択して連結することができる。取付環34を取り付けるための係止孔33の位置を、頂上部に近づける程前記水中カメラ装置Ｃを水中深く沈めやすく、また、先端部に近づける程水面近くに沈めやすいものである。また、このように取付ロープ21を球状錘31の先端上部に連結することができるため、水中において前記ローリング防止フィン32を鉛直状態に維持しやすいものである。
【００２２】
35は切り欠きであり、前記球状錘31の後端部に形成されている。この切り欠き35は水平方向に延びている。この切り欠き35の機能については後記する。
【００２３】
50はカメラ支持マウントであり、前記球状錘31の後端部に設置されている。このカメラ支持マウント50は前記球状錘31の後方に突出し、ＣＣＤカメラ21を挟持固定している。    
【００２４】
51,51 は一対のマウント用支持板であり、互いに向き合った状態で配置され、その取付片511,511 が各々前記球状錘31の切り欠き35内に収まった状態で、固定ボルト52,52,…によって固定されている（図１を参照のこと）。このマウント用支持板51における固定ボルト52の通過孔53は、図５に示すように水平方向に延びる長孔であるため、通過孔53の位置を調節することによって、一対のマウント用支持板51,51 の設置状態の間隔を調節することができる。
【００２５】
54,54,…は締め付けボルトであり、対向する一対のマウント用支持板51,51 を貫通している。これらの締め付けボルト54,54,…におけるナット55,55,…を螺動することによって前記一対のマウント用支持板51,51 の間隔を調節することができる。  56,56 は締め付けパッドであり、前記マウント用支持板51,51 の内側に貼着されている。前記ＣＣＤカメラ21は、この締め付けパッド56,56 を介して前記一対のマウント用支持板51,51 によって挟持固定される。なお、この際の前記ＣＣＤカメラ21は、図２に示すように後方に向かって斜め上方を向いている。
【００２６】
なお、57は、前記マウント用支持板51における変形防止用角孔である。
【産業上の利用可能性】
【００２７】
水中を高速で引きながら水中の被写体を上下左右振れのない安定的した画像として撮影する場合に利用できる。例えば、トロリーングにおいて魚類が疑似餌をついばむ様子やその生態を観察するの場合に利用することができる。
【００２８】
また、別の利用として、急流中にカメラをロープを介して流しながら、その水中の被写体を安定した状態で画像撮影することもできる。
本願に係る水中カメラ装置の利用可能性は極めて高いものである。
【図面の簡単な説明】
【００２９】
【図１】図１はこの考案に係る水中カメラ装置の実施例の使用状態図である。
【図２】図２は上部後方からの同斜視図である。
【図３】図３は図２におけるIII 矢視図である。
【図４】図４は図３におけるマウント用支持板のIV矢視の拡大図である。
【図５】図５は図４におけるマウント用支持板の左側面図である。
【符号の説明】
【００３０】
Ｃ  …  水中カメラ装置
Ｆ  …  水面
Ｓ  …  トローリング用船
Ｔ  …  かじきまぐろ
Ｗ  …  海洋
10  …  船体
11  …  トローリング用竿
12  …  疑似餌
13  …  釣糸
21  …  取付けロープ
22  …  カメラディスブレイ
23  …  ケーブル
31  …  球状錘
32  …  ローリング防止フィン
33  …  係止孔
34  …  取付環
35  …  切り欠き
50  …  カメラ支持マウント
51  …  マウント用支持板
52  …  固定ボルト
53  …  通過孔
54  …  締め付けボルト
55  …  ナット
56  …  締め付けパッド
57  …変形防止用角孔
【図１】
0003155648.tif 000003
【図２】
0003155648.tif 000004
【図３】
0003155648.tif 000005
【図４】
0003155648.tif 000006
【図５】
0003155648.tif 000007